(57)【要約】【課題】本発明は、折り畳んで収納することが出来、不使用時に収納場所をとることがない折畳み式パネルヒーターを提供することを課題とする。【解決手段】左右一対のパネル基板３を相互蝶着し、該パネル基板３の前面には表面に面状発熱層７を設けたパネルヒーター５が取付けられている折畳み式パネルヒーター１を提供する。該折畳み式パネルヒーター１では、相互蝶着された左右一対のパネル基板３を折り畳んで、該折畳み式パネルヒーター１をコンパクトに折り畳んで収納することが出来る。【選択図】    図１
2006207930.tif 000002
【特許請求の範囲】
【請求項１】
左右一対のパネル基盤を相互蝶着し、該パネル基盤の前面には表面および／または裏面に面状発熱層を設けた発熱板が取り付けられていることを特徴とする折畳み式パネルヒーター。
【請求項２】
パネル基盤と支持脚枠とを蝶着し、該パネル基盤の前面には表面および／または裏面に面状発熱層を設けた発熱板が取り付けられていることを特徴とする折畳み式パネルヒーター。
【請求項３】
該パネル基盤には籠状保護カバーが着脱可能に取り付けられている請求項１または請求項２に記載の折畳み式パネルヒーター。
【請求項４】
該発熱板の面状発熱層は金属酸化物層またはカーボン層である請求項１〜請求項３のいずれかに記載の折畳み式パネルヒーター。
【請求項５】
該発熱板の面状発熱層への通電を制御する制御回路には、主スイッチと、所定温度で該制御回路を切断する温度スイッチと、振動が及ぼされたときに回路を切断する振動スイッチと、折畳み状態で回路を切断する開閉スイッチと、該面上発熱層に通電する時間または該面上発熱層に加える交流電圧の周波数や全波／半波を切換え制御して該面上発熱層の温度を調節する制御装置とが介在している請求項１〜請求項４のいずれかに記載の折畳み式パネルヒーター。
【発明の詳細な説明】
【技術分野】
【０００１】
本発明は折畳み式のヒーターに関する。
【背景技術】
【０００２】
従来、例えば室内で手足などを温めるために用いるヒーターとしては、ニクロム線式のヒーターが一般に提供されている。
【０００３】
なお、上記従来の技術が記載された文献等であって特許を受けようとする者が特許出願の時に知っているものはないので、その文献公知発明に関する情報の所在を記載をすることはできない。
【発明の開示】
【発明が解決しようとする課題】
【０００４】
しかしながら上記従来のニクロム線式のヒーターでは、ヒーターの不使用時に該ヒーターを収納する場合、該ヒーターをコンパクトに折り畳んで収納することが出来ないため、収納場所をとるという問題があった。
【課題を解決するための手段】
【０００５】
本発明は上記従来の課題を解決するための手段として、左右一対のパネル基盤３を相互蝶着し、該パネル基盤３の前面には表面および／または裏面に面状発熱層１１を設けた発熱板５が取り付けられている折畳み式パネルヒーター１を提供するものである。
または、パネル基盤３と支持脚枠４１とを蝶着し、該パネル基盤３の前面には表面および／または裏面に面状発熱層１１を設けた発熱板５が取り付けられている折畳み式パネルヒーター１を提供する。
該パネル基盤３には籠状保護カバー１３が着脱可能に取り付けられていることが望ましい。
また、該発熱板５の面状発熱層１１は金属酸化物層またはカーボン層であることが望ましい。
更に、該発熱板５の面状発熱層１１への通電を制御する制御回路２１には、主スイッチ２２と、所定温度で該制御回路２１を切断する温度スイッチ２３と、振動が及ぼされたときに制御回路２１を切断する振動スイッチ２６と、折畳み状態で制御回路２１を切断する開閉スイッチ２８と、該面上発熱層１１に通電する時間または該面上発熱層１１に加える交流電圧の周波数や全波／半波を切換え制御して該面上発熱層１１の温度を調節する制御装置２６とが介在していることが望ましい。
【０００６】
本発明の折畳み式パネルヒーター１では、相互蝶着された左右一対のパネル基盤３を折り畳むことにより、該折畳み式パネルヒーター１をコンパクトに折り畳んで収納することが出来る。
または、蝶着されたパネル基盤３と支持脚枠４１とを折り畳むことにより、該折畳み式パネルヒーター１をコンパクトに折り畳んで収納することが出来る。
また、該パネル基盤３の表面側に籠状保護カバー１３が着脱可能に取り付けられていれば、折畳み式パネルヒーター１の使用時には、表面側に取り付けられた保護カバー１３によって、使用者や可燃物が不用意に発熱板５に触れるのを防止することが出来、更に、折畳み式パネルヒーター１の不使用時には、該保護カバー１３を取り外すことによって、該折畳み式パネルヒーター１を折畳み収納する際に該保護カバー１３が干渉するのを防止することが出来る。
更に、該面状発熱層１１が金属酸化物層あるいはカーボン層である場合には、該発熱板５から主として遠赤外線が放射されるので、遠赤外線の温熱効果によって、例えば筋肉痛や関節痛、腰痛、膝痛などへの治療効果を得ることが出来る。
また更に、該面状発熱層１１に通電する制御回路２１に、振動が及ぼされたときに制御回路２１を切断する振動スイッチ２４が介在されていれば、地震が起きた場合にも該振動スイッチ２４によって振動を感知して面状発熱層１１への通電が切断されるので、火災や火傷の危険性がない。
【発明の効果】
【０００７】
従って本発明では、不使用時に折畳み式パネルヒーター１を収納する場合に、該折畳み式パネルヒーター１を折り畳んで収納することが出来るため、収納場所をとることがない。
【発明を実施するための最良の形態】
【０００８】
以下、本発明を実施例１および実施例２により詳細に説明する。
【実施例１】
【０００９】
本発明を図１〜図１１に示す一実施例によって説明する。
図１〜図７に示すように、折畳み式パネルヒーター１は、コの字形の蝶番枠２と、該蝶番枠２を介して相互蝶着される左右一対のパネル基盤３とからなる。該左右一対のパネル基盤３の前面には凹陥部４がそれぞれ凹設されており、該凹陥部４には発熱板５がそれぞれ取り付けられている。
【００１０】
該コの字形の蝶番枠２には上下一対の蝶番部６が設けられており、該蝶番部６には左右一対のパネル基盤３の根端部７の上下端が枢着されており、かくして該左右一対のパネル基盤３は左右回動自在とされている。
また、図３および図４に示すように、該蝶番枠２の下半部の後側部分には脚部８の上端部が枢着されており、該脚部８は前後回動自在とされている。
更に、該蝶番枠２の上半部には、折畳み式パネルヒーター１を持ち運ぶ際に手掛かりとするための把手孔９が貫通形成されている。
【００１１】
該発熱板５は、図８および図９に示すようにセラミック基板１０と、該セラミック基板１０の裏面に化学蒸着法等によって形成された金属酸化物層あるいはカーボン粉を合成樹脂エマルジョンまたは合成樹脂溶液に分散したカーボン塗料を塗布することによって形成されたカーボン層等からなる面状発熱層１１と、該面状発熱層１１の両端に設けられた電極１２とからなる。該電極１２は例えば銀ペースト塗布層、金属箔を基材とした導電性粘着テープ等からなる。
上記面状発熱層１１が金属酸化物層の場合には、例えばＭｇ，Ｃａ，Ｚｎ，Ｓｒ，Ａｌ，Ｔｉ，Ｓｎ，Ｐｂ，Ｎｂ，Ｓｂ，Ｃｒ，Ｍｏ，Ｗ，Ｍｎ，Ｆｅ，Ｃｏ，Ｎｉ等の一種または二種以上の金属の酸化物が使用される。望ましい金属酸化物層の金属としてはＳｎ，Ｚｎ等がある。また、該セラミック基板１０の材料としては、例えば、シリカ、アルミナ、コージライト、カーボランダム、陶板、デビトロセラミック板等が使用される。
【００１２】
また、該左右一対のパネル基盤３の前面には、図２に示す左右一対の籠状保護カバー１３がそれぞれ取り付けられている（図５参照）。
本実施例では、パネル基盤３の上面には内側ガイド壁１４と外側ガイド壁１５が画定されており、下面には傾斜支脚１６が突設されており、該傾斜支脚１６の外側には該傾斜支脚１６と所定の間隔を設けて係止突起１７が複数個配列突設されている。一方、保護カバー１３の上縁には籠素線を屈曲させて上側嵌合素線部１８が形成されており、一方保護カバー１３の下縁の素線部は下側嵌合素線部１９とされている。そして該保護カバー１３の上側嵌合素線部１８を該パネル基盤３上面のガイド溝２０に嵌入させかつ下側嵌合素線部１９を該傾斜支脚１６と係止突起１７との間に嵌入させることによって、該保護カバー１３は該パネル基盤３に着脱可能に固定されている。
【００１３】
該面状発熱層１１の電極１２への通電は、パネル基盤３の発熱板５の奥側に内蔵されている制御回路２１によって制御されている。
図１０に示すように、該制御回路２１には、電源のオン・オフを行なうための主スイッチである電源スイッチ２２と、内部が例えば１５０℃以上の温度になったことを感知する温度センサーである内部温度センサー３０と、該内部温度センサー３０からの信号によって制御回路２１を切断する内部温度スイッチ２３と、振動が及ぼされたときに振動を感知する振動センサー３１と、該振動センサー３１からの信号によって制御回路２１を切断する振動スイッチ２４と、折畳み状態になったことを感知する開閉センサー３２と、該開閉センサー３２からの信号によって制御回路２１を切断する開閉スイッチ２５と、通電時間（例えば１時間または３時間または８時間）を設定するタイマーであるオフタイマー２７と、所定時間（例えば８時間）後に通電を開始させるオンタイマー２８（目覚ましタイマー）と、該面状発熱層１１の電極１２に通電する電圧を複数段で切換えるためのヒーター強弱切換えスイッチ２９と、該オフタイマー２７、該オンタイマー２８または該ヒーター強弱切換えスイッチ２９からの信号によって該面上発熱層１１に通電する時間、電圧または周波数を複数段で切換え制御して該面上発熱層１１の温度を調節する制御装置２６が介在されている。
【００１４】
そして、折畳み式パネルヒーター１の蝶番枠２上面には、電源スイッチ２２のオン・オフを行なうための電源ボタン３３と、ヒーター強弱切換えスイッチ２９の切換えを行なうためのヒーター強弱切換えボタン３４と、オフタイマー２７の設定時間（例えば１時間または３時間または８時間）あるいは不使用を切換るためのオフタイマー切換えボタン３５と、オンタイマー２８の使用・不使用を切換えるためのオンタイマー切換えボタン３６が設けられている。
また、折畳み式パネルヒーター１の蝶番枠２には、電源が入ったときに赤色に点灯する電源ランプ３７と、ヒーターの発熱温度が高く設定されているときに赤色に点灯しヒーターの発熱温度が低く設定されているときに黄色に点灯するヒーター強弱ランプ３８と、オフタイマー２７の設定時間（例えば１時間または３時間または８時間）に対応してそれぞれ緑色に点灯する３つのオフタイマーランプ３９Ａ，３９Ｂ，３９Ｃがそれぞれ設けられている。
本実施例では、該電源ランプ３７はオンタイマーランプを兼用しており、オンタイマー２８（目覚ましタイマー）が使用されているときに、該電源ランプ兼オンタイマーランプ３７は緑色に点灯することとされている。
【００１５】
更に、図６および図７に示すように、折畳み式パネルヒーター１の蝶番枠２の脚部８の下面には、下向きに突出するように付勢されている安全ボタン４０が設けられており、該安全ボタン４０には、振動が及ぼされたときに振動を感知する振動センサー３１が内蔵されている。
【００１６】
上記の折畳み式パネルヒーター１を使用する場合には、まず、図１に示すようにパネル基盤３を左右に開く。本実施例では、パネル基盤３は開いた状態で、パネル開閉ロック（図示せず）によってロック固定され、該左右のパネル基盤３が不意に閉じることが防止されている。
次に、保護カバー１３の上側嵌合素線部１８をパネル基盤３のガイド溝２０に嵌合させ、更に下側嵌合素線部１９を傾斜支脚１６と係止突起１７との間に嵌合させることによって、左右のパネル基盤３の前面に保護カバー１３をそれぞれ取り付ける。本実施例では、該保護カバー１３はパネル基盤３に取り付けられた状態で保護カバーロック４１によってロック固定され、該保護カバー１３が不意にパネル基盤３から外れることが防止されている。
最後に、図６に示すように脚部１５を後方に回動させれば該折畳み式パネルヒーター１は使用状態となる。本実施例では、該脚部１５は後方に回動された状態で脚部ロック（図示せず）によってロック固定され、該脚部１５が不意に前方に回動して収納されることが防止されている。
【００１７】
該安全ボタン４０は、上記折畳み式パネルヒーター１使用状態では、該折畳み式パネルヒーター１の自重によって上方に押し込まれた状態とされているが、該折畳み式パネルヒーター１が倒れた場合には、該安全ボタン４０が突出して振動センサー３１が作動し、発熱板５の面状発熱層１１への通電が切断される。
【００１８】
折畳み式パネルヒーター１の不使用時には、まず、保護カバーロック４１を押し込んで、保護カバー１３の係止ロックを解除し、パネル基盤３の前面から保護カバー１３を取り外す。
次に、脚部ロック解除ボタン（図示せず）を押して、脚部８のロックを解除し、該脚部８を前方に回動させて、蝶番枠２内部に押し込み収納する。
そして、パネル基盤３の温度が十分下がった状態で、パネル開閉ロック解除ボタン（図示せず）を押して、パネル基盤３のロックを解除し、該左右のパネル基盤３を閉じて折畳み状態とする（図４参照）。
【００１９】
このように、上記の折畳み式パネルヒーター１では、相互蝶着された左右一対のパネル基盤３を折り畳んで、該折畳み式パネルヒーター１をコンパクトに折り畳んで収納することが出来る。
従って、不使用時に該折畳み式パネルヒーター１を収納する場合に、該折畳み式パネルヒーター１を折り畳んで収納することが出来、収納場所をとることがない。
【００２０】
また、該パネル基盤３の表面側に籠状保護カバー１３が着脱可能に取り付けられているので、折畳み式パネルヒーター１の使用時には、表面側に取り付けられた保護カバー１３によって、使用者や可燃物が不意にヒーターに触れるのを防止することが出来、更に、折畳み式パネルヒーター１の不使用時には、該保護カバー１３を取り外すことによって、該折畳み式パネルヒーター１を折畳み収納する際に該保護カバー１３が干渉するのを防止することが出来る。
【００２１】
更に、該面状発熱層１１が例えば酸化スズを主体とする金属酸化物層である場合、図１１のグラフにおいて実線で示すように、該発熱板５からは主として（全体の放射量の９９％）遠赤外線（波長域：２μｍ〜１０００μｍ）が放射されており、特に水分子との相互作用によって熱エネルギーへの変換効率が高い遠赤外線（波長域：２μｍ〜１４μｍ）が放射されている。従って、本発明の折畳み式パネルヒーター１では、遠赤外線の温熱効果によって、例えば筋肉痛や関節痛、腰痛、膝痛などへの治療効果を得ることが出来る。
なお、図１１のグラフにおいて破線で示すように、ハロゲンヒーター（比較例）からは近赤外線（波長域：０．７８μｍ〜２μｍ）が多く放射されており、遠赤外線の放射量は全体の放射量の半分以下である。
【００２２】
また更に、該面状発熱層１１に通電する制御回路２１に、振動が及ぼされたときに制御回路２１を切断する振動スイッチ２４が介在されているので、地震が起きた場合にも該振動スイッチ２４によって振動を感知して面状発熱層１１への通電が切断されるので、火災や火傷の危険性がない。
【００２３】
また、上記の折畳み式パネルヒーター１では、セラミック板の上に面状発熱層１１を直接形成しているため、該面状発熱層１１に通電して発生した熱によってセラミック板が直接加熱され、該セラミック板からも遠赤外線が放射される。なお面状発熱層１１はセラミック板の表面および／または裏面に形成されてもよい。
本実施例では、面状発熱層１１への通電を開始してから約１分後には発熱板５の温度は約２５０℃になり、以後定常状態になる。
そして、上記の定常状態において、室温２０℃の部屋で発熱板５から１ｍ離れた場所の気温は約３０℃になり、２ｍ離れた場所の気温は約２５℃になり、３ｍ離れた場所の気温は２３℃になる。
【実施例２】
【００２４】
図１４〜図１６には他の実施例が示される。
図１〜図１３に示した前実施例では、左右一対のパネル基盤３が相互蝶着されており該左右一対のパネル基盤３の前面に発熱板５が取り付けられていたのに対して、本実施例の折畳み式パネルヒーター１では、図１４および図１５に示すように、パネル基盤３と支持脚枠４１とが蝶着されており、該パネル基盤３の前面には実施例１と同様の発熱板５が取り付けられている。
【００２５】
該支持脚枠４１は、左右一対の支持脚４２と、該左右一対の支持脚４２に差し渡される連結杆４３とからなる。
該パネル基盤３の下部には左右一対の蝶番凹部４５が設けられており、該蝶番凹部４５に支持脚枠４１の左右一対の支持脚４２の蝶番部４５がそれぞれ枢着されており、かくして該パネル基盤３と該支持脚枠４１とは前後回動自在とされている。
【００２６】
該パネル基盤３の前面には、籠状保護カバー１３が取り付けられている。
本実施例では、該籠状保護カバー１３の上縁の籠素線を屈曲させて上側嵌合素線部１８が形成されており、該上側嵌合素線部１８を該パネル基盤３上面のガイド溝２０に嵌入させることによって、該籠状保護カバー１３は該パネル基盤３に着脱可能に固定されている。
【００２７】
該面状発熱層１１の電極１２への通電は、実施例１と同様、パネル基盤３の発熱板５の奥側に内蔵されている制御回路１２によって制御されている。
そして、折畳み式パネルヒーター１のパネル基盤３の前面下部には、電源スイッチ２２のオン・オフを行なうための電源ボタン３３と、ヒーター強弱切換えスイッチ２９の切換えを行なうためのヒーター強弱切換えボタン３４と、オフタイマー２７の設定時間（例えば１時間または３時間または８時間）あるいは不使用を切換るためのオフタイマー切換えボタン３５が設けられている。
また、該パネル基盤３の前面下部には、電源が入ったときに赤色に点灯する電源ランプ３７と、ヒーターの発熱温度が高く設定されているときに赤色に点灯しヒーターの発熱温度が低く設定されているときに黄色に点灯するヒーター強弱ランプ３８と、オフタイマー２７の設定時間（例えば１時間または３時間または８時間）に対応してそれぞれ緑色に点灯する３つのオフタイマーランプ３９Ａ，３９Ｂ，３９Ｃがそれぞれ設けられている。
【００２８】
更に、本実施例の折畳み式パネルヒーター１には、リモコン送信装置（図示せず）およびリモコン受信装置４６が備えられており、該リモコン受信装置４６は該パネル基盤３の前面下部に内蔵されている。
一方、該リモコン送信装置には、電源スイッチ２２のオン・オフを遠隔操作で行なうための電源ボタン（図示せず）と、ヒーター強弱切換えスイッチ２９の切換えを遠隔操作で行なうためのヒーター強弱切換えボタン（図示せず）と、オフタイマー２７の設定時間（例えば１時間または３時間または８時間）あるいは不使用の切換えを遠隔操作で行うためのオフタイマー切換えボタン（図示せず）が設けられている。
【００２９】
また、実施例１と同様、図１５に示すように、本実施例の折畳み式パネルヒーター１のパネル基盤３の下面にも、下向きに突出するように付勢されている安全ボタン４０が設けられており、該安全ボタン４０には、振動が及ぼされたときに振動を感知する振動センサー３１が内蔵されている。
【００３０】
上記の折畳み式パネルヒーター１を使用する場合には、図１４および図１５に示すように、支持脚枠４１を後方に回動させ、支持脚枠４１の支持脚４２によってパネル基盤３を支持させて、折畳みパネルヒーター１を使用状態とする。
一方、該折畳み式パネルヒーター１の不使用時には、図１６に示すように、支持脚枠４１を前方に回動させ、支持脚枠４１の支持脚４２および連結杆４３をパネル基盤３の前面に当接させて、折畳み式パネルヒーター１を折畳み状態とする。
【００３１】
このように、本実施例の折畳み式パネルヒーター１においても、実施例１と同様の作用効果を奏することができる。
この場合、蝶着されたパネル基盤３と支持脚枠４１とを折り畳むことにより、該折畳み式パネルヒーター１をコンパクトに折り畳んで収納することが出来る。
その上、本実施例の折畳み式パネルヒーター１には、リモコン送信装置（図示せず）およびリモコン受信装置４６が備えられているので、電源スイッチ２２のオン・オフやをヒーター強弱切換えスイッチ２９の切換え、オフタイマー２７の設定時間（例えば１時間または３時間または８時間）あるいは不使用の切換えを遠隔操作で行うことが出来る。
【００３２】
以上、本発明の実施の形態を実施例により説明したが、本発明の範囲はこれらに限定されるものではなく、請求項に記載された範囲内において目的に応じて変更・変形することが可能である。
例えば上記実施例の折畳み式パネルヒーター１に節約モードの通電を行なう場合には、タイマーによって約１０秒ＯＮ、約５秒ＯＦＦを繰り返して発熱温度を２００℃になるように設定してもよい。
【００３３】
また、図１２に示すように、例えばインバーター等の周波数可変装置４２を使用して、面上発熱層１１に加える交流電圧の周波数を切換え制御して、該面上発熱層１１の温度を調節してもよい。
この場合、該面状発熱層１１の温度を下げるときには、該周波数可変装置４２によって該面上発熱層１１に加える交流電圧の周波数を低くする。このとき、該周波数可変装置４２による周波数の切換えは無段階的に行われ、周波数の最小値は５Ｈｚ〜３０Ｈｚに設定されている。
一方、該面状発熱層１１の温度を上げるときには、該周波数可変装置４２によって該面上発熱層１１に加える交流電圧の周波数を高くする。このときも、該周波数可変装置４２による周波数の切換えは無段階的に行われ、周波数の最高値は８０Ｈｚ〜１５０Ｈｚに設定されている。  
【００３４】
更に、図１３に示すように、例えばダイオードを有するリレー回路等の全波／半波切換え装置４３を使用して、面上発熱層１１に加える交流電圧を切換え制御して、半波整流によって該面上発熱層１１の温度を調節してもよい。
【００３５】
また更に、本実施例以外、面状発熱層１１はカーボン層であってもよい。
この場合にも、上記実施例と同様に、該発熱板５からは主として（全体の放射量の９９％）遠赤外線（波長域：２μｍ〜１０００μｍ）が放射され、特に水分子との相互作用によって熱エネルギーへの変換効率が高い遠赤外線（波長域：２μｍ〜１４μｍ）が放射されるため、遠赤外線の温熱効果によって、例えば筋肉痛や関節痛、腰痛、膝痛などへの治療効果を得ることが出来る。
【産業上の利用可能性】
【００３６】
本発明は、折り畳んで収納することが出来、不使用時に収納場所をとることがない折畳み式パネルヒーターとして、産業上利用することが出来る。
【図面の簡単な説明】
【００３７】
【図１】折畳み式パネルヒーターの正面側の斜視図である。
【図２】籠状保護カバーの斜視図である。
【図３】折畳み式パネルヒーターの裏面側の斜視図である。
【図４】折畳み式パネルヒーター（折畳み状態）の斜視図である。
【図５】折畳み式パネルヒーターの使用状態正面側の斜視図である。
【図６】折畳み式パネルヒーターの側面図である。
【図７】折畳み式パネルヒーターの底面図である。
【図８】発熱板の側断面図である。
【図９】発熱板の裏面図である。
【図１０】折畳み式パネルヒーターの回路（タイマー制御）のブロック図である。
【図１１】折畳み式パネルヒーターおよびハロゲンヒーターから放射される赤外線の波長スペクトルを示すグラフである。
【図１２】折畳み式パネルヒーターの回路（周波数制御）のブロック図である。
【図１３】折畳み式パネルヒーターの回路（半波制御）のブロック図である。
【図１４】他の実施例の折畳み式パネルヒーターの正面側の斜視図である。
【図１５】他の実施例の折畳み式パネルヒーターの側面図である。
【図１６】他の実施例の折畳み式パネルヒーター（折畳み状態）の斜視図である。
【符号の説明】
【００３８】
１  折畳み式パネルヒーター
３  パネル基盤
５  発熱板
１１  面状発熱層
１３  保護カバー
２１  制御回路
２２  主スイッチ（電源スイッチ）
２３  温度スイッチ（内部温度スイッチ）
２４  振動スイッチ
２５  開閉スイッチ
２６  制御装置
３０  温度センサー（内部温度センサー）
３１  振動センサー
３２  開閉センサー
４１  支持脚枠
【図１】
2006207930.tif 000003
【図２】
2006207930.tif 000004
【図３】
2006207930.tif 000005
【図４】
2006207930.tif 000006
【図５】
2006207930.tif 000007
【図６】
2006207930.tif 000008
【図７】
2006207930.tif 000009
【図８】
2006207930.tif 000010
【図９】
2006207930.tif 000011
【図１０】
2006207930.tif 000012
【図１１】
2006207930.tif 000013
【図１２】
2006207930.tif 000014
【図１３】
2006207930.tif 000015
【図１４】
2006207930.tif 000016
【図１５】
2006207930.tif 000017
【図１６】
2006207930.tif 000018